【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
記録媒体に記録された画像データを表示する表示手段と、
画像表示装置の傾きに応じた画像データの切り替え表示をするための指示をユーザから受け付ける指示受付手段と、
所定方向に対する当該画像表示装置の傾きを検知する傾き検知手段と、
表示制御手段であって、
前記傾き検知手段が傾きを検知した場合に前記指示受付手段が前記指示を受け付けていれば、前記傾き検知手段によって検知した傾きに関わらず前記表示手段に表示されている画像データを回転することなく、前記表示手段での前記画像データの切り替え表示を、前記傾き検知手段が検知した傾きに応じて行い、
前記傾き検知手段が傾きを検知した場合に前記指示受付手段が前記指示を受け付けていなければ、前記傾き検知手段が検知した傾きに応じて前記表示手段に表示されている画像データを回転して表示するように制御する表示制御手段と
を備えることを特徴とする画像表示装置。
【請求項２】
前記表示制御手段は、
前記傾き検知手段が、前記所定方向に対する第１の傾きの変化を検知した場合に、前記画像データの表示切り替えを予め定められた表示順で行うように制御し、
前記傾き検知手段が、前記第１の傾きの変化とは前記所定方向に対して逆向きの第２の傾きの変化を検知した場合に、前記画像データの表示切り替えを前記表示順とは逆順で行うように制御する
ことを特徴とする請求項１に記載の画像表示装置。
【請求項３】
前記表示制御手段は、画像データの前記切り替え表示を、前記指示受付手段によって前記指示を受け付けた時点からの前記所定方向に対する当該画像表示装置の傾きの変化に応じて行うように制御することを特徴とする請求項１または２に記載の画像表示装置。
【請求項４】
前記表示制御手段は、前記画像データ毎の表示時間を検知された前記傾きの変化量に応じて設定し、画像データの切り替え表示を設定した表示時間おきに行うように制御することを特徴とする請求項１乃至３のいずれか１項に記載の画像表示装置。
【請求項５】
前記傾き検知手段によって前記傾きの変化を検知している状態の継続時間を測定する測定手段と、
前記切り替え表示における画像データ毎の表示時間を前記測定手段で測定した前記継続時間に応じて設定する設定手段とを更に有し、
前記表示制御手段は、画像データの切り替え表示を、前記設定手段で設定した表示時間おきに行うように制御する
ことを特徴とする請求項１乃至３のいずれか１項に記載の画像表示装置。
【請求項６】
前記表示制御手段は、前記指示受付手段による前記指示の受け付けがなくなった場合に、画像データの切り替え表示を停止するように制御する
ことを特徴とする請求項１乃至５のいずれか１項に記載の画像表示装置。
【請求項７】
前記指示受付手段は、ユーザからの接触を検知する接触検知手段よりなることを特徴とする請求項１乃至６のいずれか１項に記載の画像表示装置。
【請求項８】
記録媒体に記録された画像データを表示する表示手段と、
画像表示装置の傾きに応じた画像データの切り替え表示をするための指示をユーザから受け付ける第１の指示受付手段および第２の指示受付手段と、
所定方向に対する当該画像表示装置の傾きを検知する傾き検知手段と、
表示制御手段であって、
前記第１の指示受付手段が前記指示を受け付けている場合に、前記表示手段での予め定められた表示順での画像データの切り替え表示を、前記傾き検知手段によって検知される、前記所定方向に対する第１の傾きに応じた切り替え時間間隔で行うように制御し、
前記第２の指示受付手段が前記指示を受け付けている場合に、前記表示手段での前記表示順とは逆順での画像データの切り替え表示を、前記傾き検知手段によって検知される、前記第１の傾きとは前記所定方向に対して逆向きの第２の傾きに応じた切り替え時間間隔で行うように制御する表示制御手段と
を備えることを特徴とする画像表示装置。
【請求項９】
前記第１の指示受付手段は、前記表示手段を構成するいずれかの辺に関連づけられ、ユーザからの接触を検知する第１の接触検知手段からなり、
前記第２の指示受付手段は、前記いずれかの辺の対辺に関連づけられ、前記接触を検知する第２の接触検知手段からなり、
前記第１の傾きは、前記いずれかの辺が、ユーザから離れるように前記画像表示装置が傾けられたことによる変化であり、
前記第２の傾きは、前記いずれかの辺の対辺が、ユーザから離れるように前記画像表示装置が傾けられたことによる変化である
ことを特徴とする請求項８に記載の画像表示装置。
【請求項１０】
前記第１の指示受付手段は、前記傾き検知手段が傾きを検知しているか否かに関わらず表示された画像データを前記表示順で少なくとも１枚切り替える指示をするため操作部材であり、
前記第２の指示受付手段は、前記傾き検知手段が傾きを検知しているか否かに関わらず表示された画像データを前記逆順で少なくとも１枚切り替える指示をするための操作部材である
ことを特徴とする請求項８または９に記載の画像表示装置。
【請求項１１】
前記第１の傾きは、前記表示手段の表示面の法線の方向が、地表面に向かう鉛直方向と直交するように前記画像表示装置が保持された場合に、前記表示手段を構成する辺であって、前記鉛直方向と平行な辺のうちいずれかの辺が地表面に近づくように前記画像表示装置が傾けられることによる傾きであり、
前記第２の傾きは、前記いずれかの辺の対辺が、前記地表面に近づくように前記画像表示装置が傾けられることによる傾きである
ことを特徴とする請求項８乃至１０のいずれか1項に記載の画像表示装置。
【請求項１２】
前記表示手段は、複数の画像データを配列表示し、
前記表示制御手段は、配列表示された前記複数の画像データのうち、選択された行、或いは列の画像データのみについて前記切り替え表示を行うように制御する
ことを特徴とする請求項１乃至１１のいずれか１項に記載の画像表示装置。
【請求項１３】
前記表示制御手段は、前記指示受付手段が前記指示を受け付けた場合に、当該画像表示装置をユーザが傾けることを促すための表示を前記表示手段に表示するように制御する
ことを特徴とする請求項１乃至１２のいずれか１項に記載の画像表示装置。
【請求項１４】
記録媒体に記録された画像データを表示手段が表示する表示ステップと、
指示受付手段が、画像表示装置の傾きに応じた画像データの切り替え表示をするための指示をユーザから受け付ける指示受付ステップと、
検知手段が、所定方向に対する当該画像表示装置の傾きを検知する傾き検知ステップと、
表示制御ステップであって、
前記傾き検知ステップで傾きを検知した場合に前記指示受付ステップで前記指示を受け付けていれば、前記傾き検知ステップによって検知した傾きに関わらず前記表示手段に表示されている画像データを回転することなく、表示制御手段が前記表示手段での前記画像データの切り替え表示を、前記傾き検知ステップで検知した傾きに応じて行い、
前記傾き検知ステップで傾きを検知した場合に前記指示受付ステップで前記指示を受け付けていなければ、前記傾き検知ステップで検知した傾きに応じて、前記表示制御手段が前記表示手段に表示されている画像データを回転して表示するように制御する表示制御ステップと
を備えることを特徴とする画像表示装置の制御方法。
【請求項１５】
画像表示装置の傾きに応じた画像データの切り替え表示をするための指示を第１の指示受付手段または第２の指示受付手段がユーザから受け付ける指示受付ステップと、
検知手段が所定方向に対する当該画像表示装置の傾きを検知する傾き検知ステップと、
表示制御ステップであって、
前記指示受付ステップにおいて前記第１の指示受付手段が前記指示を受け付けている場合に、表示制御手段が表示手段での予め定められた表示順での画像データの切り替え表示を、前記傾き検知ステップによって検知される、前記所定方向に対する第１の傾きに応じた切り替え時間間隔で行うように制御し、
前記指示受付ステップにおいて第２の指示受付手段が前記指示を受け付けている場合に、表示制御手段が前記表示手段での前記表示順とは逆順での画像データの切り替え表示を、前記傾き検知ステップによって検知される、前記第１の傾きとは前記所定方向に対して逆向きの第２の傾きに応じた切り替え時間間隔で行うように制御する表示制御ステップと
を備えることを特徴とする画像表示装置の制御方法。
【請求項１６】
コンピュータを、請求項１乃至１３のいずれか１項に記載の画像表示装置として機能させるためのコンピュータプログラム。
【請求項１７】
コンピュータを、請求項１乃至１３のいずれか１項に記載の画像表示装置として機能させるためのコンピュータプログラムを記録したコンピュータが読み取り可能な記録媒体。
【手続補正２】
【補正対象書類名】明細書
【補正対象項目名】０００８
【補正方法】変更
【補正の内容】
【０００８】
上記課題を解決するための発明は、画像表示装置であって、記録媒体に記録された画像データを表示する表示手段と、
当該画像表示装置の傾きに応じた画像データの切り替え表示をするための指示をユーザから受け付ける指示受付手段と、
所定方向に対する当該画像表示装置の傾きを検知する傾き検知手段と、
表示制御手段であって、
前記傾き検知手段が傾きを検知した場合に前記指示受付手段によって前記指示を受け付けていれば、前記傾き検知手段によって検知した傾きに関わらず前記表示手段に表示されている画像データを回転することなく、前記表示手段での前記画像データの切り替え表示を、前記傾き検知手段が検知した傾きに応じて行い、
前記傾き検知手段が傾きを検知した場合に前記指示受付手段が前記指示を受け付けていなければ、前記傾き検知手段が検知した傾きに応じて前記表示手段に表示されている画像データを回転して表示するように制御する表示制御手段とを備えることを特徴とする。
【手続補正３】
【補正対象書類名】明細書
【補正対象項目名】００９７
【補正方法】変更
【補正の内容】
【００９７】
ステップＳ１１０５では、図７ａで前述した表示時間調整処理１を行う。すなわち、右ボタンが押下された時点の初期の傾き角度θ0と、現在の傾き角度θ1との差分の角度θdを元に表示時間Tを設定する。ただし、本実施形態では、図１１で説明したように、実施形態１とは角度θ（より詳しくは角度θ0、角度θ1、角度θd）の向きが異なる。また、表示時間Ｔは、図７ｂではなく、図１２に示す参照テーブルに基づいて決定するものとする。さらに、右ボタン２５６が押下されている間は、デジタルカメラ１００が右側に傾いた場合に、角度θが正方向への傾き角度を有するものとする。